(57)【要約】      （修正有）【課題】調節可能な音響インターフェースを有する拡声器を提供する。【解決手段】拡声器２００は、ドライバ２０５と、バスケット構造と、ドライバ２０５を取り囲む音響インターフェース２１０とを含む。音響インターフェース２１０の外側部分は、バスケット構造によって支持することができる。拡声器２００は、ドライバ２０５をバスケット構造（筐体構造２１５）に対する第１の位置と、バスケット構造に対する第２の位置のうちの少なくとも一方に位置決めするように構成された位置決め要素（可動要素２５５）を含む。拡声器２００において、筐体構造２１５と、拡声器２００のドライバ２０５を取り囲むための音響インターフェース２１０は、可撓性（例えば伸張性）を有する。【選択図】図２Ａ
2019122043.tif 000002
【特許請求の範囲】
【請求項１】
ドライバと、
バスケット構造と、
前記ドライバを取り囲む音響インターフェースであって、外側部分が前記バスケット構造によって支持される、前記音響インターフェースと、
前記ドライバを
前記バスケット構造に対する第１の位置と、
前記バスケット構造に対する第２の位置のうちの少なくとも一方に位置決めするように構成された位置決め要素と、を備える、拡声器。
【請求項２】
前記音響インターフェースは、平坦なバッフルと、ホーンインターフェースのうちの少なくとも一方のために面を提供するように構成されたバッフル材である、請求項１に記載の拡声器。
【請求項３】
前記位置決め要素は、線形アクチュエータ及び多重運動アクチュエータのうちの少なくとも一方である、請求項１に記載の拡声器。
【請求項４】
前記位置決め要素は、前記ドライバの位置及び方向のうちの少なくとも一方を調節するように構成されている、請求項１に記載の拡声器。
【請求項５】
前記第１の位置は、前記音響インターフェース要素の平坦な構成である、請求項１に記載の拡声器。
【請求項６】
前記位置決め要素は、前記音響インターフェースに関するホーン構成を形成するために、前記ドライバを前記第１の位置から前記第２の位置に後退させるように構成される、請求項１に記載の拡声器。
【請求項７】
前記音響インターフェースは、ガスケット要素によって前記バスケット構造に固定される、請求項１に記載の拡声器。
【請求項８】
前記音響インターフェースは、前記バスケット構造の中に後退させられる際、前記バスケット構造の内面に適合するように構成されている、請求項１に記載の拡声器。
【請求項９】
前記バスケット構造に対する前記第１の位置は、前記音響インターフェースに関するバッフル構成であり、前記バスケット構造に対する前記２の位置は、前記音響インターフェースに関するホーン構成である、請求項１に記載の拡声器。
【請求項１０】
前記バスケット構造を有するように形成される筐体構造をさらに備え、前記筐体構造は、前記位置決め要素を収容するように構成されている、請求項１に記載の拡声器。
【請求項１１】
ドライバと、
筐体構造と、
前記ドライバを取り囲む可撓性の音響インターフェースであって、外側部分が前記筐体構造によって支持される、前記音響インターフェースと、
前記ドライバを
前記筐体構造に対する第１の位置と、
前記筐体構造に対する第２の位置のうちの少なくとも一方に位置決めするように構成された位置決め要素と、を備える、拡声器。
【請求項１２】
前記可撓性の音響インターフェースは、平坦なバッフルと、ホーンインターフェースのうちの少なくとも一方のために面を提供するように構成されたバッフル材である、請求項１１に記載の拡声器。
【請求項１３】
前記位置決め要素は、線形アクチュエータ及び多重運動アクチュエータのうちの少なくとも一方である、請求項１１に記載の拡声器。
【請求項１４】
前記位置決め要素は、前記ドライバの位置及び方向のうちの少なくとも一方を調節するように構成されている、請求項１１に記載の拡声器。
【請求項１５】
前記第１の位置は、前記可撓性の音響インターフェース要素の平坦な構成である、請求項１１に記載の拡声器。
【請求項１６】
前記位置決め要素は、前記可撓性の音響インターフェースに関するホーン構成を形成するために、前記ドライバを前記第１の位置から前記第２の位置に後退させるように構成される、請求項１１に記載の拡声器。
【請求項１７】
前記可撓性の音響インターフェースは、ガスケット要素によって前記筐体構造に固定される、請求項１１に記載の拡声器。
【請求項１８】
前記可撓性の音響インターフェースは、前記筐体構造の中に後退させられる際、前記筐体構造の内面に適合するように構成されている、請求項１１に記載の拡声器。
【請求項１９】
前記筐体構造に対する前記第１の位置は、前記可撓性の音響インターフェースに関するバッフル構成であり、前記筐体構造に対する前記２の位置は、前記可撓性の音響インターフェースに関するホーン構成である、請求項１１に記載の拡声器。
【請求項２０】
前記筐体構造は、前記位置決め要素を収容するように構成されている、請求項１１に記載の拡声器。
【発明の詳細な説明】
【技術分野】
【０００１】
関連出願の相互参照
本出願は、発明の名称がＡＤＪＵＳＴＡＢＬＥ  ＡＣＯＵＳＴＩＣ  ＩＮＴＥＲＦＡＣＥ  ＬＯＵＤＳＰＥＡＫＥＲ、２０１７年１２月２９日に出願された米国仮出願第６２／６１２，００１号に対して優先権を主張しており、この出願の内容は、その全体が参照により明白に組み込まれている。
【０００２】
本開示は、音声出力装置に関し、より詳細には調節可能な音響インターフェースを有する拡声器に関する。
【背景技術】
【０００３】
拡声器は、固定された位置で作動するように通常構成されている。これに加えて、設計者等は典型的には、特定の用途のためにスピーカー構成を選んでいる。多くの用途に関してスピーカーを完全に変更せずに音響的特性を変えることは極めて難しい場合がある。一例として、乗り物のスピーカーの取り付け位置及び構成は、時間、パッケージング、質量または他の同様の制約によって実施するのに手間がかかる場合がある。さらに、ひとたび構成されると、このような取り付け位置及び音響インターフェースは、永久に固定されることが多く、そのため、拡声器の適応性を１つの特定の利用の実例またはかなり限定された一セットの利用の実例に縮小している。一部の音響インターフェースからの品質の低下は、空間的／指向性の拡声器の特徴を果たすのが不十分になる、または他のｈｉｇｈ−Ｑ（急峻な）周波数による影響として通常現れる。このような問題は、音響学及び物理学によって純粋に断定されるため、電気的等化または任意の他のソフトウェア技術によってなくすことはできない。改善され調節可能な音響出力を備えた拡声器構成を求める要望が実在する。
【発明の概要】
【課題を解決するための手段】
【０００４】
本明細書には、拡声器構成が開示されクレーム主張されている。一実施形態は、ドライバと、バスケット構造と、ドライバを取り囲む音響インターフェースとを含む拡声器を対象としている。音響インターフェースの外側部分は、バスケット構造によって支持されている。拡声器は、ドライバをバスケット構造に対する第１の位置と、バスケット構造に対する第２の位置のうちの少なくとも一方に位置決めするように構成された位置決め要素を含む。
【０００５】
一実施形態において、音響インターフェースは、平坦なバッフルと、ホーンインターフェースのうちの少なくとも一方のために面を提供するように構成されたバッフル材である。
【０００６】
一実施形態において、位置決め要素は、線形アクチュエータ及び多重運動アクチュエータのうちの少なくとも一方である。
【０００７】
一実施形態において、位置決め要素は、ドライバの位置及び方向のうちの少なくとも一方を調節するように構成されている。
【０００８】
一実施形態において、第１の位置は、音響インターフェース要素の平坦な構成である。
【０００９】
一実施形態において、位置決め要素は、音響インターフェースに関するホーン構成を形成するために、ドライバを第１の位置から第２の位置に後退させるように構成されている。
【００１０】
一実施形態において、音響インターフェースは、ガスケット要素によってバスケット構造に固定される。
【００１１】
一実施形態において、音響インターフェースは、バスケット構造の中に後退させられる際、バスケット構造の内面に適合するように構成されている。
【００１２】
一実施形態において、バスケット構造に対する第１の位置は、音響インターフェースに関するバッフル構成であり、バスケット構造に対する第２の位置は、音響インターフェースに関するホーン構成である。
【００１３】
一実施形態において、拡声器は、バスケット構造を有するように形成される筐体構造を含み、筐体構造は、位置決め要素を収容するように構成されている。
【００１４】
一実施形態は、ドライバと、筐体構造と、ドライバを取り囲む可撓性の音響インターフェースとを含む拡声器を対象としており、可撓性の音響インターフェースの外側部分は筐体構造によって支持される。拡声器は、ドライバを筐体構造に対する第１の位置と、筐体構造に対する第２の位置のうちの少なくとも一方に位置決めするように構成された位置決め要素を含む。
【００１５】
他の態様、特徴及び技術は、実施形態の以下の詳細な記載を鑑みることで当業者にとって明白であろう。
本発明は、例えば、以下の項目を提供する。
（項目１）
ドライバと、
バスケット構造と、
前記ドライバを取り囲む音響インターフェースであって、外側部分が前記バスケット構造によって支持される、前記音響インターフェースと、
前記ドライバを
前記バスケット構造に対する第１の位置と、
前記バスケット構造に対する第２の位置のうちの少なくとも一方に位置決めするように構成された位置決め要素と、を備える、拡声器。
（項目２）
前記音響インターフェースは、平坦なバッフルと、ホーンインターフェースのうちの少なくとも一方のために面を提供するように構成されたバッフル材である、上記項目に記載の拡声器。
（項目３）
前記位置決め要素は、線形アクチュエータ及び多重運動アクチュエータのうちの少なくとも一方である、上記項目のいずれか一項に記載の拡声器。
（項目４）
前記位置決め要素は、前記ドライバの位置及び方向のうちの少なくとも一方を調節するように構成されている、上記項目のいずれか一項に記載の拡声器。
（項目５）
前記第１の位置は、前記音響インターフェース要素の平坦な構成である、上記項目のいずれか一項に記載の拡声器。
（項目６）
前記位置決め要素は、前記音響インターフェースに関するホーン構成を形成するために、前記ドライバを前記第１の位置から前記第２の位置に後退させるように構成される、上記項目のいずれか一項に記載の拡声器。
（項目７）
前記音響インターフェースは、ガスケット要素によって前記バスケット構造に固定される、上記項目のいずれか一項に記載の拡声器。
（項目８）
前記音響インターフェースは、前記バスケット構造の中に後退させられる際、前記バスケット構造の内面に適合するように構成されている、上記項目のいずれか一項に記載の拡声器。
（項目９）
前記バスケット構造に対する前記第１の位置は、前記音響インターフェースに関するバッフル構成であり、前記バスケット構造に対する前記２の位置は、前記音響インターフェースに関するホーン構成である、上記項目のいずれか一項に記載の拡声器。
（項目１０）
前記バスケット構造を有するように形成される筐体構造をさらに備え、前記筐体構造は、前記位置決め要素を収容するように構成されている、上記項目のいずれか一項に記載の拡声器。
（項目１１）
ドライバと、
筐体構造と、
前記ドライバを取り囲む可撓性の音響インターフェースであって、外側部分が前記筐体構造によって支持される、前記音響インターフェースと、
前記ドライバを
前記筐体構造に対する第１の位置と、
前記筐体構造に対する第２の位置のうちの少なくとも一方に位置決めするように構成された位置決め要素と、を備える、拡声器。
（項目１２）
前記可撓性の音響インターフェースは、平坦なバッフルと、ホーンインターフェースのうちの少なくとも一方のために面を提供するように構成されたバッフル材である、上記項目のいずれか一項に記載の拡声器。
（項目１３）
前記位置決め要素は、線形アクチュエータ及び多重運動アクチュエータのうちの少なくとも一方である、上記項目のいずれか一項に記載の拡声器。
（項目１４）
前記位置決め要素は、前記ドライバの位置及び方向のうちの少なくとも一方を調節するように構成されている、上記項目のいずれか一項に記載の拡声器。
（項目１５）
前記第１の位置は、前記可撓性の音響インターフェース要素の平坦な構成である、上記項目のいずれか一項に記載の拡声器。
（項目１６）
前記位置決め要素は、前記可撓性の音響インターフェースに関するホーン構成を形成するために、前記ドライバを前記第１の位置から前記第２の位置に後退させるように構成される、上記項目のいずれか一項に記載の拡声器。
（項目１７）
前記可撓性の音響インターフェースは、ガスケット要素によって前記筐体構造に固定される、上記項目のいずれか一項に記載の拡声器。
（項目１８）
前記可撓性の音響インターフェースは、前記筐体構造の中に後退させられる際、前記筐体構造の内面に適合するように構成されている、上記項目のいずれか一項に記載の拡声器。
（項目１９）
前記筐体構造に対する前記第１の位置は、前記可撓性の音響インターフェースに関するバッフル構成であり、前記筐体構造に対する前記２の位置は、前記可撓性の音響インターフェースに関するホーン構成である、上記項目のいずれか一項に記載の拡声器。
（項目２０）
前記筐体構造は、前記位置決め要素を収容するように構成されている、上記項目のいずれか一項に記載の拡声器。
（摘要）
本開示は、拡声器及び拡声器構成に関する。一実施形態において、拡声器は、ドライバと、バスケット構造と、ドライバを取り囲む音響インターフェースとを含む。音響インターフェースの外側部分は、バスケット構造によって支持することができる。本明細書において提供される拡声器構成は、ドライバをバスケット構造に対する第１の位置と、バスケット構造に対する第２の位置のうちの少なくとも一方に位置決めするように構成された位置決め要素を含むことができる。他の実施形態は、拡声器の構成要素及び構成を対象としている。一実施形態において、拡声器は、筐体構造と、拡声器のドライバを取り囲むための可撓性の（例えば伸張式）音響インターフェースとを含む。
【００１６】
本開示の特徴、目的及び利点は、図面と併せて利用される際、以下に記載される詳細な説明からより明らかになると思われ、図面における同様の参照符号は、全体を通して対応するように特定している。
【図面の簡単な説明】
【００１７】
【図１】図１Ａは、１つまたは複数の実施形態による拡声器を描いている。図１Ｂは、１つまたは複数の実施形態による拡声器を描いている。
【図２Ａ】１つまたは複数の実施形態による拡声器の断面図を描いている。
【図２Ｂ】１つまたは複数の実施形態による拡声器の断面図を描いている。
【図３−１】図３Ａは、１つまたは複数の実施形態による拡声器の図式的な表現を描いている。
【図３−２】図３Ｂは、１つまたは複数の実施形態による拡声器の図式的な表現を描いている。図３Ｃは、１つまたは複数の実施形態による拡声器の図式的な表現を描いている。
【図４】図４Ａは、１つまたは複数の実施形態による拡声器の調節の図式的な表現を描いている。図４Ｂは、１つまたは複数の実施形態による拡声器の調節の図式的な表現を描いている。図４Ｃは、１つまたは複数の実施形態による拡声器の調節の図式的な表現を描いている。図４Ｄは、１つまたは複数の実施形態による拡声器の調節の図式的な表現を描いている。
【発明を実施するための形態】
【００１８】
概要及び専門用語
本開示の一態様は、拡声器のための調節可能な音響インターフェースを提供するための拡声器の機構を対象としている。
実施形態は、１つまたは複数の拡声器の構造に関して本明細書で考察される。
一例として、拡声器構成は、拡声器の筐体構造（例えばバスケット構造）に対して１つまたは複数の位置を有するドライバと、ドライバの調節によって調節するための可撓性の音響インターフェースとを含むように提供される。一実施形態において、音響インターフェースは、平坦なバッフル構成と、ホーン構成とを提供するように構成されてよい。本開示の実施形態は、同一の拡声器装置から複数の音響的音声構成を可能にする。
【００１９】
一実施形態は、ドライバと、筐体構造と、ドライバを取り囲む音響インターフェースとを有する拡声器を対象としている。筐体構造は、ドライバの位置決めを可能にするための内部空間と、１つまたは複数の可動要素とを有するバスケット構造であってよい。音響インターフェースは、ドライバを取り囲んでよく、音響インターフェースの外側部分はバスケット構造によって固定される。位置決め要素は、ドライバをバスケット構造に対する位置の少なくとも１つに位置決めするように構成されてよい。ドライバ要素の位置決め作業は、ドライバの方向及び／またはドライバ要素の後退に対する調節を含んでよい。
【００２０】
別の実施形態は、ドライバ用の調節可能な音響インターフェースを有する拡声器を対象としている。音響インターフェースは、平坦なバッフルと、ホーンインターフェースのうちの少なくとも一方のために面を提供するように構成されたバッフル材である。
【００２１】
実施形態は、拡声器構成及び構成要素を対象としている。一実施形態において、拡声器は、筐体構造と、１つまたは複数の調節可能要素とを含む。
【００２２】
別の実施形態は、調節可能な音響インターフェースのために移動機構を提供することを対象としている。本明細書で考察される拡声器は、拡声器の音響インターフェースを調節するための可動要素、例えば機械化された構成を含んでよい。可動要素は、１つまたは複数の最適化された音響インターフェースを表現するために、拡声器、拡声器筐体、または取り囲む音響インターフェース基体を移動させるために１つまたは複数の駆動要素、例えば電動式の組立体を含んでよい。１つの例示の実施形態では、拡声器バッフルとして存在する伸張可能な材料（例えばシリコン、ゴム、一般的な伸張材料）を有するシリンダ内にツィーターを設置することができる。スピーカーはこのとき後方に移動させることができ、これにより、バッフル材を所与の形態にわたって引き伸ばし、拡声器に特有のホーンまたは導波管音響インターフェースを提供することができる。この構成の１つの利点は、拡声器の指向性を提供することであってよい。例えば、拡声器を標準的な音響体験のための従来のバッフル付きの取り付け位置に配置することができる、及び／またはスピーカーが、隔離された音響体験環境において指向性を制御するために、管状またはホーン状の音響インターフェースの中に後退させられる場合もある。
【００２３】
本明細書で考察される実施形態及び構成は、時間、パッケージング、質量または他の同様の制約によって実施するのに手間がかかる可能性がある乗り物のスピーカーの取り付け位置及び構成の１つまたは複数の欠点を克服することができる。加えて、乗り物における一部の利用の実例は、完全に正反対のスピーカー音響インターフェースを必要とする場合もある。本明細書で考察される実施形態は、拡声器を追加せずに多くの要件を満たすための解決策を提供する。
【００２４】
実施形態は、拡声器の出力（例えば固有の音響特性など）をモジュラー式で調節可能なシステムに調節する作業を対象としている。より具体的には、実施形態は、乗り物の客室に拡声器の音響インターフェースの作用を誘導することを対象としている。
【００２５】
拡声器構成は、特定の用途に関して本明細書で考察されているが、本明細書で考察される拡声器構成は、他の装置に、かつ付加的な用途のために適用される場合もあることを理解されたい。
【００２６】
本明細書で使用される際、用語「１つの（ａ）」または「１つの（ａｎ）」は、１つ、または２つ以上を意味すべきである。用語「複数の」は、２つ、または３つ以上を意味すべきである。用語「別の」は、第２の、またはそれ以上として定義される。用語「含む」及び／または「有する」は、オープンエンドである（例えば備える）。本明細書で使用される際、用語「または」は、包括的である、または任意の１つもしくは任意の組み合わせを意味するものとして解釈すべきである。したがって、「Ａ、ＢまたはＣ」は、「以下のＡ；Ｂ；Ｃ；ＡとＢ；ＡとＣ；ＢとＣ；Ａ、Ｂ及びＣのいずれか」を意味する。この定義に対する例外は、要素、機能、ステップまたは行為の組み合わせが一部のやり方において本質的に相互に排他的である場合に限って生じる。
【００２７】
「一つの実施形態」、「特定の実施形態」、「一実施形態」または同様の用語に対する本文献を通しての参照は、その実施形態に関連して記載される特定の機構、構造または特徴が、少なくとも１つの実施形態に含まれることを意味する。よってそのようなフレーズが本明細書を通して様々な場所に現れることは、必ずしも同一の実施形態を全て参照しているとは限らない。さらに、特定の機構、構造または特徴は、限定せずに１つまたは複数の実施形態において任意の好適なやり方で組み合わされる場合もある。
【００２８】
例示の実施形態
図１Ａ〜図１Ｂは、１つまたは複数の実施形態による拡声器を描いている。まず図１Ａを参照すると、拡声器１００は、ドライバ１０５と、音響インターフェース１１０と、筐体構造１１５とを含む。一実施形態によると、拡声器１００の音響インターフェース１１０は、複数の音声プロファイルを提供するように構成されている。図１Ａでは、音響インターフェース１１０は、第１の位置で示されている。一実施形態において、第１の位置は、音響インターフェース１１０の平坦な構成であってよい。別の実施形態によると、ドライバ１０５と、音響インターフェース１１０のうちの少なくとも一方は、移動及び／または方向の向け直しを利用して調節されてよい。図１Ａは、１つまたは複数の実施形態によるバッフル構成における音響インターフェース１１０を描いている。音響インターフェース１１０は、１つまたは複数の他の位置まで移動されてよく、調節は、ドライバ１０５の方向を変えることを含んでよい。
【００２９】
一実施形態によると、音響インターフェース１１０は、平坦なバッフルまたはホーンインターフェースのうちの少なくとも一方のために面を提供するように構成されたバッフル材である。本明細書で考察されるように、音響インターフェース１１０は、調節のため、及びドライバ１０５の調節に基づいて少なくとも１つの音響プロファイルを提供するためにその形状を変えるように構成された可撓性または伸張可能な材料に関連する。音響インターフェース１１０の例示の材料は、ビニール、シリコン及び他の織物材料を含む。ドライバ１０５は、１つまたは複数の実施形態によると、ツィーターなどの動的スピーカーに関連してよい。
【００３０】
一実施形態によると、拡声器１００は、拡声器に関する構造上の構成を提供する。拡声器１００は、概ね楕円形の外形を有するように示されている。筐体構造１１５は、拡声器１００のためのバスケット構造であってよい。ガスケット１２０は、音響インターフェース１１０、詳細には音響インターフェース１１０の外側部分を筐体構造１１５に対して保持するように構成されている。音響インターフェース１１０の内側部分は、ドライバ１０５の外側部分に結合される、またはそれに対して保持されてよい。音響インターフェース１１０は、ガスケット１２０によって、バスケット構造に関連し得る筐体構造１１５に固定される場合もある。拡声器１００はまた、裏板１２５も含んでよい。
【００３１】
図１Ｂは、第２の位置における音響インターフェース１１０を示している。一実施形態によると、第２の位置は、後退した位置へのドライバ１０５の調節及び音響インターフェース１１０の調節に対応付けられる。一実施形態によると、音響インターフェース１１０は、ドライバ１０５の外側部分及び／またはドライバ１０５を支持する１つまたは複数の要素に結合されてよい。特定の実施形態において、拡声器１００は、図２Ａ〜図２Ｂに示されるように音響インターフェース１１０の裏に構造的要素を含んでおり、これは、音響インターフェース１１０の内側部分を支持することを可能にし得る。一実施形態によると、音響インターフェース１１０は、ドライバ１０５が後退させられる際、筐体構造１１５の内壁に適合する。
【００３２】
図２Ａ〜図２Ｂは、１つまたは複数の実施形態による拡声器の断面図を描いている。一実施形態によると、拡声器２００は、図１Ａ〜図１Ｂの拡声器１００の断面図に関連してよい。
【００３３】
拡声器２００は、ドライバ２０５と、音響インターフェース２１０と、筐体構造２１５とを含む。拡声器２００の音響インターフェース２１０は、ガスケット２２０と、筐体構造２１５との間に保持されてよい。筐体構造２１５は、内壁２３５を有するホーンセクション２３０と、円筒形の部分２４０と、裏板であってよいベース２４５とを含む。一実施形態によると、ドライバ２０５は、取り付け台２６０を含む可動要素２５５によって位置決めされてよい。取り付け台２６０は、ドライバ２０５に結合されてよい。可動要素２５５及び取り付け台２６０のうちの少なくとも一方が、ドライバ２０５の複数方向の移動を可能にし、これにより音響インターフェース２１０の調節を実現することができる。一実施形態によると、筐体構造２１５は、筐体内での垂直方向かつ指向性の移動（例えば傾斜など）を可能にするように構成されている。加えて、筐体構造２１５の内壁２３５は、ドライバ２０５が位置決めされる際、音響インターフェース２１０と結合することができる。例えばドライバ支持部２５０は、ドライバ２０５及び音響インターフェース２１０の内側部分を保持するように構成されてよい。加えて、ドライバ支持部２５０は、可動要素２５５及び取り付け台２６０と結合することができる。可動要素２５５は、線形アクチュエータ及び多重運動アクチュエータのうちの一方など、位置決め要素であってよい。可動要素２５５は、ドライバ２０５の位置及び方向の少なくとも一方を調節するように構成されてよい。例えば可動要素２５５は、拡声器２００を音響インターフェース要素の平坦な構成に調節するように構成されてよい。同様に、可動要素２５５は、音響インターフェース２１０のホーン構成を形成するために第２の位置までドライバ２０５を後退させるように拡声器２００を調節するように構成されてよい。拡声器２００は、図２Ａにおけるバッフル位置でのドライバ２０５の構成における音響出力構成を実現する。
【００３４】
図２Ｂは、１つまたは複数の実施形態による、第２の位置における拡声器２００の断面図である。図２Ｂにおいて、ドライバ２０５は、音響インターフェース２１０が内壁２３５と接触するように、筐体構造２１５の中に下降するように調節される。加えて、音響インターフェースは、ドライバ２０５のためにホーン形状の面を形成し、結果として、図２Ａのバッフル配置に対して拡声器２００に関する異なる音響出力構成が生じることになる。音響インターフェース２１０は、筐体構造の中に後退させられる際、内壁２３５に適合するように構成されており、この内壁は、バスケット構造の内面であってよい。別の実施形態によると、図２Ａは、音響インターフェース２１０のためのバッフル構成としてバスケット構造に対する第１の位置を示してよく、図２Ｂは、音響インターフェース２１０のためのホーン構成としてバスケット構造に対する第２の位置を示してよい。筐体構造２１５は、バスケット構造を有するように形成されてよい、またドライバ２０５のための位置決め要素を収容するように構成される場合もある。
【００３５】
音響インターフェース２１０は、引き戻される際、筐体２１５のホーン形状に適合するように構成されたシリコンであってよい。一実施形態によると、音響インターフェース２１０がさらに後退するほど、ホーンの中心領域にさらに向かって音響インターフェースは適合する。例えば、半分後退された状態は、ドライバ２０５の中央のツィーター組立体に向かってホーン形状をたどって同一地点を横切る単なる橋になるであろう。
【００３６】
図３Ａ〜図３Ｃは、１つまたは複数の実施形態による拡声器の図式的な表現を描いている。拡声器３００は、音響インターフェース３１０と、筐体構造３１５と、ガスケット３２０とを含む。拡声器３００の音響インターフェース３１０は、締め具３２５などの１つまたは複数の締め具によってガスケット３２０と、筐体構造３１５との間に保持されてよい。筐体構造３１５は、ホーンセクション３３０と、アクチュエータシャフト部分３３５と、アクチュエータ本体部分３４０と、ベース３４５とを含む。一実施形態によると、筐体構造３１５のホーンセクション３３０は、湾曲される、及び／または１つまたは複数の湾曲した部分を含むことで、拡声器３００のドライバ要素がホーンセクション３３０内に位置決めされる、及び／または誘導されることを可能にし得る内面を含む。
【００３７】
一実施形態によると、筐体構造３１５は、拡声器３００のドライバ要素の配置のためのアクチュエータを収容するために、アクチュエータシャフト部分３３５、アクチュエータ本体部分３４０及びベース３４５によって形成される細長いセクションを含む。アクチュエータシャフト部分３３５は、線形アクチュエータを収容するために、ホーンセクション３３０のベースから延出する。アクチュエータ本体部分３４０は、歯車モータなどの１つまたは複数の駆動要素を収容するように構成される。ベース３４５は、駆動要素の設置、交換及び保守を可能にするために取り外される場合がある。
【００３８】
図３Ｂは、拡声器３００のドライバ３０５及びドライバ取り付け台の少なくとも一方に取り付けられた端部３５５を有するアクチュエータ要素３５０を含む拡声器３００の断面図を描いている。図３Ｂでは、拡声器３００は、アクチュエータ３５０が延長された第１の位置またはバッフル位置に構成されている。図３Ｃでは、拡声器は、アクチュエータがドライバ３０５を引っ張り、音響インターフェース３１０を調節する第２の位置で示されている。音響インターフェース３１０は、ホーンセクション３３０の内面などの筐体構造の内面と適合する。図３Ａ〜図３Ｃに示されるように、アクチュエータシャフト部分３３５は、延長したり収縮したりすることを可能にするために細長くなっている。
【００３９】
図４Ａ〜図４Ｄは、１つまたは複数の実施形態による拡声器の作動の図式的な表現を描いている。一実施形態によると、拡声器のドライバは、アクチュエータによって１つまたは複数の位置及び方向に調節されてよい。複数の音響の音声構成を提供し、指向性を制御するために、音響インターフェース（例えば音響インターフェース１１０）などの拡声器の構造的要素がドライバの調節を可能にする。
【００４０】
図４Ａは、第１の位置に配置された、バスケット構造４０５と、ドライバ４１０とを含む拡声器４００を示している。ドライバ４１０は、方向４１５によって示されるように前方に向いている。バスケット構造４０５に対するドライバ４１０の位置の基準点として参照ライン４２０が図４Ａ〜図４Ｂに示されている。方向４１５は前方方向である。図４Ｂは、ドライバ４１０が参照ライン４２０より下に後退させられるように、バスケット構造４０５の中に後退させられるように調節されたドライバ４１０を示している。図４Ｂでは、ドライバ４１０は、前方方向４１６に向いている。
【００４１】
図４Ｃは、方向４１５からずらした方向４１７に向くように調節されたドライバ４１０を示している。したがって、図４Ｃは、第１の位置を維持しながらの指向性の調節を描いている。図４Ｄは、方向４１５からずらした方向４１８を向くように調節され、基準ライン４２０より下にあるドライバ４１０を示している。したがって図４Ｄは、指向性の調節と、筐体構造４０５内への後退とを描いている。
【００４２】
本開示は、その例示の実施形態を参照して詳細に示され、説明されているが、クレーム主張される実施形態の範囲から逸脱することなく、形態及び詳細の様々な変更がその中でなされる可能性があることは当業者によって理解されるであろう。
【図１】
2019122043.tif 000003
【図２Ａ】
2019122043.tif 000004
【図２Ｂ】
2019122043.tif 000005
【図３−１】
2019122043.tif 000006
【図３−２】
2019122043.tif 000007
【図４】
2019122043.tif 000008